【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
交流電源を入力し、前記交流電源の電圧を整流する整流回路と、
前記整流回路の出力電圧を入力して直流電圧を出力する昇圧型チョッパ回路と、
前記整流回路の出力電流を検出する電流検出回路と、
前記電流検出回路により検出される電流波形が前記交流電源の入力電圧と相似形となるように前記昇圧型チョッパ回路を制御する制御回路と、
前記交流電源の出力がゼロレベルとなるタイミングでも前記電流検出回路に電流を供給する電流供給回路と、
を有することを特徴とするスイッチング型直流電源装置。
【請求項２】
前記電流供給回路は、一端が所定の電源に接続され、他端が前記電流検出回路に接続される抵抗素子であることを特徴とする請求項１記載のスイッチング型直流電源装置。
【請求項３】
前記昇圧型チョッパ回路は、スイッチング素子を有し、前記制御回路は前記スイッチング素子のオンオフを制御することを特徴とする請求項１又は２記載のスイッチング型直流電源装置。
【請求項４】
前記制御回路は、前記昇圧型チョッパ回路の出力電圧と第１の基準電圧との差に応じた電圧を出力する電圧エラーアンプと、前記電圧エラーアンプの出力と前記整流回路の出力の波形と乗算する乗算回路と、前記乗算回路の出力と前記電流検出回路の出力との差に応じた電圧を出力する電流エラーアンプと、前記電流エラーアンプの出力と所定の信号とを比較し、前記スイッチング素子を制御する信号を出力する比較回路とを有することを特徴とする請求項３記載のスイッチング型直流電源装置。
【請求項５】
前記整流回路は入力した交流を全波整流することを特徴とする請求項１乃至４のいずれか１項記載のスイッチング型直流電源装置。
【請求項６】
交流電源を入力し、前記交流電源の電圧を全波整流する整流回路と、
前記整流回路の出力電圧を入力して直流電圧を出力する昇圧型チョッパ回路と、
回路を流れる前記整流回路により整流された脈流電流を検出する電流検出手段と、
前記電流検出手段により検出した脈流電流波形が交流入力電圧波形と相似形となるように前記昇圧型チョッパ回路を制御する制御回路とから成るアクティブフィルタ回路を備えたスイッチング型直流電源装置において、
前記交流電源の出力がゼロレベルとなるタイミングでも前記電流検出手段に見掛け上電流が流れているようにせしめる電流供給手段を備えたことを特徴とするスイッチング型直流電源装置。
【請求項７】
前記電流供給手段は、一端が所定の電源に接続され、他端が前記電流検出手段に接続される抵抗素子であることを特徴とする請求項６に記載のスイッチング型直流電源装置。
【手続補正２】
【補正対象書類名】明細書
【補正対象項目名】００１９
【補正方法】変更
【補正の内容】
【００１９】
【課題を解決するための手段】
上記目的を達成するために、本発明の請求項１に係るスイッチング型直流電源装置は、交流電源を入力し、前記交流電源の電圧を整流する整流回路と、前記整流回路の出力電圧を入力して直流電圧を出力する昇圧型チョッパ回路と、前記整流回路の出力電流を検出する電流検出回路と、前記電流検出回路により検出される電流波形が前記交流電源の入力電圧と相似形となるように前記昇圧型チョッパ回路を制御する制御回路と、前記交流電源の出力がゼロレベルとなるタイミングでも前記電流検出回路に電流を供給する電流供給回路とを有することを特徴とする。
請求項２に係わるスイッチング型直流電源装置は、請求項１記載のスイッチング型直流電源装置において、前記電流供給回路は、一端が所定の電源に接続され、他端が前記電流検出回路に接続される抵抗素子であることを特徴とする。
請求項３に係わるスイッチング型直流電源装置は、請求項１又は２記載のスイッチング型直流電源装置において、前記昇圧型チョッパ回路は、スイッチング素子を有し、前記制御回路は前記スイッチング素子のオンオフを制御することを特徴とする。
請求項４に係わるスイッチング型直流電源装置は、請求項３記載のスイッチング型直流電源装置において、前記制御回路は、前記昇圧型チョッパ回路の出力電圧と第１の基準電圧との差に応じた電圧を出力する電圧エラーアンプと、前記電圧エラーアンプの出力と前記整流回路の出力の波形と乗算する乗算回路と、前記乗算回路の出力と前記電流検出回路の出力との差に応じた電圧を出力する電流エラーアンプと、前記電流エラーアンプの出力と所定の信号とを比較し、前記スイッチング素子を制御する信号を出力する比較回路とを有することを特徴とする。
請求項５に係わるスイッチング型直流電源装置は、請求項１乃至４のいずれか１項記載のスイッチング型直流電源装置において、前記整流回路は入力した交流を全波整流することを特徴とする。
上記目的を達成するために、本発明の請求項６に係るスイッチング型直流電源装置は、交流電源を入力し、前記交流電源の電圧を全波整流する整流回路と、前記整流回路の出力電圧を入力して直流電圧を出力する昇圧型チョッパ回路と、回路を流れる前記整流回路により整流された脈流電流を検出する電流検出手段と、前記電流検出手段により検出した脈流電流波形が交流入力電圧波形と相似形となるように前記昇圧型チョッパ回路を制御する制御回路とから成るアクティブフィルタ回路を備えたスイッチング型直流電源装置において、前記交流電源の出力がゼロレベルとなるタイミングでも前記電流検出手段に見掛け上電流が流れているようにせしめる電流供給手段を備えたことを特徴とする。
【手続補正３】
【補正対象書類名】明細書
【補正対象項目名】００２０
【補正方法】変更
【補正の内容】
【００２０】
請求項７に係わるスイッチング型直流電源装置は、請求項６に係わるスイッチング型直流電源装置において、前記電流供給手段は、一端が所定の電源に接続され、他端が前記電流検出手段に接続される抵抗素子であることを特徴とする。
【手続補正４】
【補正対象書類名】明細書
【補正対象項目名】００４１
【補正方法】変更
【補正の内容】
【００４１】
【発明の効果】
以上説明したように請求項１のスイッチング型直流電源装置によれば、交流電源を入力し、前記交流電源の電圧を整流する整流回路と、前記整流回路の出力電圧を入力して直流電圧を出力する昇圧型チョッパ回路と、前記整流回路の出力電流を検出する電流検出回路と、前記電流検出回路により検出される電流波形が前記交流電源の入力電圧と相似形となるように前記昇圧型チョッパ回路を制御する制御回路と、前記交流電源の出力がゼロレベルとなるタイミングでも前記電流検出回路に電流を供給する電流供給回路とを有することにより、交流入力電流に高調波成分を多く含んだ棘状の電流が流れることを防止すると共に、最大ＯＮデューティが１００％近くまで広がりすぎることを防止することができる。そのため、従来最大ＯＮデューティを制限するために設けていた基準電圧と最小値電圧選択回路が不用となり、安価な方法で、棘状の入力電流を防止し、且つ部品点数の削減、コストダウンが可能となる。
請求項６のスイッチング型直流電源装置によれば、交流電源を入力し、前記交流電源の電圧を全波整流する整流回路と、前記整流回路の出力電圧を入力して直流電圧を出力する昇圧型チョッパ回路と、回路を流れる前記整流回路により整流された脈流電流を検出する電流検出手段と、前記電流検出手段により検出した脈流電流波形が交流入力電圧波形と相似形となるように前記昇圧型チョッパ回路を制御する制御回路とから成るアクティブフィルタ回路を備えたスイッチング型直流電源装置において、前記交流電源の出力がゼロレベルとなるタイミングでも前記電流検出手段に見掛け上電流が流れているようにせしめる電流供給手段を備えたことにより、交流入力電流に高調波成分を多く含んだ棘状の電流が流れることを防止すると共に、最大ＯＮデューティが１００％近くまで広がりすぎることを防止することができる。そのため、従来最大ＯＮデューティを制限するために設けていた基準電圧と最小値電圧選択回路が不用となり、安価な方法で、棘状の入力電流を防止し、且つ部品点数の削減、コストダウンが可能となる。
【手続補正５】
【補正対象書類名】明細書
【補正対象項目名】００４２
【補正方法】変更
【補正の内容】
【００４２】
請求項７のスイッチング型直流電源装置によれば、電流供給手段は、一端が所定の電源に接続され、他端が電流検出手段に接続される抵抗素子とすることで、極めて簡単に構成することができる。